(57)【要約】【解決手段】  シート体３は通常は収納ケース１内に収納されており、使用時に引出されるようになっている。上記収納ケースの両端部には永久磁石１１を設けてあり、この永久磁石１１によって収納ケースを被磁着面３に磁着させることができるようになっている。また、上記収納ケースの両端部には離脱手段１２を設けてあり、この離脱手段は上記永久磁石を被磁着面から離隔させて該永久磁石の被磁着面に対する磁着力を低減させ、それによって収納ケースを被磁着面から容易に離脱させることができるようになっている。上記シート体は、マグネットシートを備えたシート体であってもよい。【効果】  永久磁石によって収納ケースを黒板等の被磁着面に磁着させて使用することができるので、使用箇所に対する制限が少なく、また離脱手段により収納ケースを被磁着面から容易に離脱させることができる。【選択図】  図１
2006168916.tif 000002
【特許請求の範囲】
【請求項１】
シート体の出入用スリットを備えた筒状の収納ケースと、通常はこの収納ケース内に収納され、使用時に上記出入用スリットから引出されて使用されるシート体とを備えたシート体の収納装置において、
上記収納ケースに、該収納ケースを被磁着面に磁着させる永久磁石を設けるとともに、上記永久磁石を被磁着面から離隔させ、該永久磁石の被磁着面に対する磁着力を低減させて上記収納ケースを被磁着面から容易に離脱させる離脱手段を設けたことを特徴とするシート体の収納装置。
【請求項２】
上記永久磁石は収納ケースの長手方向に離隔して少なくとも２つ設けられており、上記離脱手段によって一方の永久磁石を被磁着面から離隔させた際には、他方の永久磁石の磁着力によって収納ケースを被磁着面に磁着させたまま、上記一方の永久磁石側の収納ケースを被磁着面に沿って揺動させることができるようになっていることを特徴とする請求項１に記載のシート体の収納装置。
【請求項３】
上記シート体は、マグネットシートを備えたシート体であって、通常は上記収納ケース内にスプリング力によって巻上げられて収納され、使用時に上記出入用スリットからスプリング力に抗して引出されて使用されるようになっていることを特徴とする請求項１又は請求項２に記載のシート体の収納装置。
【請求項４】
上記離脱手段は、上記収納ケースに揺動可能に設けられて上記被磁着面に接触されるカム部材を備えており、このカム部材はその揺動により上記永久磁石を被磁着面から離隔させることを特徴とする請求項１ないし請求項３のいずれかに記載のシート体の収納装置。
【請求項５】
上記カム部材を磁性材料によって薄板状に形成するとともに、上記永久磁石をこのカム部材に取り付け、上記カム部材の揺動時には、該カム部材の上記被磁着面に接触される接触面の一側が被磁着面から離隔されることによって、上記永久磁石が被磁着面から離隔されることを特徴とする請求項４に記載のシート体の収納装置。
【請求項６】
上記離脱手段は、上記カム部材に連動してこれを揺動作動させる操作レバーを備えており、この操作レバーは、上記収納ケースの側壁部との間で把持されて収納ケースの上記側壁部に向けて押圧された際に、上記カム部材を介して永久磁石を被磁着面から離隔させることを特徴とする請求項４又は請求項５に記載のシート体の収納装置。
【請求項７】
上記収納ケースの出入用スリットにシート体をガイドするガイド面を設けてあり、このガイド面は、収納ケースを被磁着面に磁着させた際に、収納ケースの内側から外側に向かって次第に被磁着面に近接するように傾斜した傾斜面を有していることを特徴とする請求項１ないし請求項６のいずれかに記載のシート体の収納装置。
【請求項８】
上記収納ケースに該収納ケースの落下を防止する落下防止手段が設けられ、この落下防止手段は、所要位置に固定可能なフックと、一端が上記フックに連結され、他端に脱落防止部材を備えるワイヤーと、上記収納ケース内に設けられて脱落防止部材の移動を案内するガイド穴と、上記収納ケースに設けられて上記脱落防止部材が該収納ケースから抜け出るのを防止する抜け止め具とを備え、
落下防止手段の使用時には、上記フックを、上記脱落防止部材が抜け止め具に当接する位置まで収納ケースから引出すことができるようになっており、また収納時には、上記脱落防止部材及びワイヤーを収納ケースに収納させるとともに、上記フックを収納ケースに固定することができるようになっていることを特徴とする請求項１ないし請求項７のいずれかに記載のシート体の収納装置。
【発明の詳細な説明】
【技術分野】
【０００１】
本発明はシート体の収納装置に関し、より詳しくは、シート体を収納する収納ケースを備えたシート体の収納装置に関する。
【背景技術】
【０００２】
従来、シート体の収納装置として、シート体の出入用スリットを備えた筒状の収納ケースと、通常はこの収納ケース内にスプリング力によって巻上げられて収納され、使用時に上記出入用スリットからスプリング力に抗して引出されて使用されるシート体とを備えたものが知られている（特許文献１）。
また従来、マグネットシートを備えたシート体を巻取りロールに巻き取って運搬できるようにし、使用時にはシート体を展開してこれを黒板などの被磁着面に磁着させるようにしたものも知られている（特許文献２）。
【特許文献１】実用新案登録第３００９４５９号公報
【特許文献２】特開２００２−３０８４号公報
【発明の開示】
【発明が解決しようとする課題】
【０００３】
上述した従来のシート体の収納装置においては、シート体を収納ケース内に収納した状態で運搬することができるので、シート体を破損する危険性が少ないという利点があるが、上記収納ケースは代表的には黒板の上部フレーム上に載置して使用されるようになっているので、使用箇所が制限されるという欠点がある。また収納ケースを鉛直方向に配置して使用することも一般に困難であった。
これに対しマグネットシートを備えたシート体は、黒板などの被磁着面に磁着させて使用することができるので、使用箇所に対する制限が少ないという利点があるが、運搬時や保管時にシート体が露出しているという欠点があった。
【０００４】
本発明は上述した欠点に鑑み、シート体を収納ケース内に収納して運搬や保管することができ、かつ使用箇所に対する制限が少ないシート体の収納装置を提供するものである。
【課題を解決するための手段】
【０００５】
すなわち請求項１の発明は、シート体の出入用スリットを備えた筒状の収納ケースと、通常はこの収納ケース内に収納され、使用時に上記出入用スリットから引出されて使用されるシート体とを備えたシート体の収納装置において、
上記収納ケースに、該収納ケースを被磁着面に磁着させる永久磁石を設けるとともに、上記永久磁石を被磁着面から離隔させ、該永久磁石の被磁着面に対する磁着力を低減させて上記収納ケースを被磁着面から容易に離脱させる離脱手段を設けたことを特徴とするものである。
【０００６】
また請求項２の発明においては、上記永久磁石は収納ケースの長手方向に離隔して少なくとも２つ設けられており、上記離脱手段によって一方の永久磁石を被磁着面から離隔させた際には、他方の永久磁石の磁着力によって収納ケースを被磁着面に磁着させたまま、上記一方の永久磁石側の収納ケースを被磁着面に沿って揺動させることができるようになっていることを特徴とするものである。
【発明の効果】
【０００７】
請求項１の発明によれば、収納ケースに永久磁石を設けているので、該永久磁石により収納ケースを黒板等の被磁着面に磁着させて使用することができ、したがって使用箇所に対する制限が少ないという利点がある。またシート体は収納ケース内に収納することができるので、その状態で運搬や保管をすることができ、したがってシート体の損傷を防止することができる。
また、上記収納ケースに離脱手段を設けてあり、この離脱手段により永久磁石の被磁着面に対する磁着力を低減させることができるので、収納ケースを被磁着面から容易に離脱させることができ、したがってその取扱いが容易になる。
【０００８】
また請求項２の発明よれば、離脱手段によって一方の永久磁石を被磁着面から離隔させた際に、他方の永久磁石の磁着力によって収納ケースを被磁着面に磁着させたまま、上記一方の永久磁石側の収納ケースを被磁着面に沿って揺動させることができるので、収納ケースの傾きを所望の方向に微調整することが容易となる。
したがって、収納ケースの傾きを所望の方向に向けることにより、シート体も容易に所望の方向に向けることができる。
【発明を実施するための最良の形態】
【０００９】
以下図示実施例について本発明を説明すると、図１において、本発明に係るシート体の収納装置は、シート体の出入用スリット１ａ（図２参照）を備えた筒状の収納ケース１と、この収納ケース１内に回転自在に軸支した巻取りロール２と、末端部がこの巻取りロール２に連結され、通常は図示しないスプリング力によって巻上げられて上記収納ケース内１に収納されるシート体３とを備えている。
上記シート体３の引出し側先端部には補強バー４を設けてあり、この補強バー４の中央部に該補強バー４及びシート体３を上記スプリング力に抗して収納ケース１から引出すための取っ手５を設けてある。上記シート体３が収納ケース１内に収納された状態では、上記補強バー４も収納ケース内に収納されるようになっており、この状態では上記取っ手５が収納ケース１から外部に突出するようになっている。
また収納ケース１には、これを運搬するための取っ手６を設けてある。
なお、上記スプリング力によりシート体３を巻上げて収納ケース１内に収納させるための構成は従来既に周知なので、その具体的な構成の説明は省略する。
【００１０】
上記シート体３としては、例えば筆記ボード／反射型スクリーン両用シートが使用され、このシート体３には、プラスチックフィルム等の基材の表面及び裏面に特殊コート層及びマグネットシートがそれぞれ設けられて、該シート体３の全面が黒板やホワイトボード等の被磁着面７に磁着できるようになっている。
また、補強バー４の両端部に図示しない永久磁石を埋設してあり、これら永久磁石の磁着力によって補強バー４を被磁着面７に磁着させることができるようにしてある。
【００１１】
上記収納ケース１は合成樹脂で製造され、上記巻取りロール２を回転自在に収納した本体部１Ａと、この本体部１Ａの両端部に設けられてそれぞれ永久磁石１１と離脱手段１２とを収納した収納部１Ｂとを備えている。
図２ないし図５に示すように、上記本体部１Ａ及び各収納部１Ｂは、基本的構成として、被磁着面７側となる平坦な底壁部１ｂと、この底壁部１ｂの両側に連続する側壁部１ｃと、両側壁部１ｃを連続する上壁部１ｄとを備え、上壁部１ｄの中央部は外側に向かって突出するように湾曲している。
そして、一方の側壁部１ｃに上述した出入用スリット１ａを形成してあり、巻取りロール２に巻き回された上記シート体３はその出入用スリット１ａから外部に引出されている。
【００１２】
上記底壁部１ｂには、シート体３をガイドするガイド面１ｅを一体に形成してあり、このガイド面１ｅは、収納ケース１を被磁着面７に磁着させた際に、収納ケース１の内側から外側に向かって次第に被磁着面７に近接するように傾斜した傾斜面となっている。
したがって、上記巻取りロール２から引出されたシート体３は上記ガイド面１ｅにより被磁着面７に向けて案内されるようになり、シート体３がガイド面１ｅを超えて被磁着面７に磁着される位置は、そのガイド面１ｅの先端部に沿った直線的な位置となる。その結果、シート体３がガイド面１ｅの先端部で不規則に浮き上がることによる筆記ボードとしての文字の歪やスクリーンとしての画像の歪を防止することができるようになる。
【００１３】
次に、上記収納ケース１の両端部の収納部１Ｂ内に設けた上記永久磁石１１は、収納ケース１を被磁着面７に磁着させるためのもので、使用中に該収納ケース１が不用意に被磁着面７から脱落しないように相対的に強力な磁着力を有している。
他方、上記永久磁石１１が強力な磁着力を有していると、収納ケース１を被磁着面７から取外す際に強い力が必要となり、また収納ケース１を被磁着面７に所望の傾きで磁着させる際にその傾きを好みの方向に微調整することが困難となる。このため上記離脱手段１２を設けて、容易に収納ケース１を被磁着面７から取外したりその傾きを容易に修正することができるようにしてある。
【００１４】
図３、図４に示すように、上記離脱手段１２は、収納部１Ｂ内に軸１３を介して揺動自在に軸支した操作レバー１４と、この操作レバー１４によって揺動される４枚のカム部材１５とを備えている。これら４枚のカム部材１５は鉄などの磁性材料により薄板状に形成してあり、互いに平行となるように配置してある。そして上記永久磁石１１は方形板状に形成して各カム部材１５間に３枚配置し、それら４枚のカム部材１５と３枚の永久磁石１１を相互に一体に連結してある。
上記４枚のカム部材１５の一部は、収納部１Ｂの底壁部１ｂに形成した４つのスリット１６（図５参照）からそれぞれ僅かに突出しており、その突出した各カム部材１５の底辺となる接触面１５ａを被磁着面７に接触させることにより、上記永久磁石１１の磁着力によって収納ケース１を被磁着面７に磁着させることができるようにしてある。
なお、各カム部材１５の接触面１５ａにそれぞれ合成樹脂などからなるシート状部材を設け、このシート状部材によって黒板やホワイトボード等の被磁着面７が損傷されるのを防止するようにしても良い。
【００１５】
上記操作レバー１４は、その先端部に設けた突起１４ａと収納部１Ｂの上壁部１ｄとの間に弾装したばね１７によって図３の時計方向に回転するように付勢されており、通常は操作レバー１４の先端部背面が収納部１Ｂの内部に設けたストッパ部１８に当接する図示非作動位置に保持されている。
この状態では、操作レバー１４を操作する操作面１４ｂは収納部１Ｂの外部に露出しており、図３に示すように、この操作面１４ｂを収納部１Ｂの内方に向けて押圧することにより、上記ばね１７に抗して操作レバー１４を反時計方向に揺動させることができるようになっている。
【００１６】
上記操作面１４ｂは、図３に示す非作動状態では、収納部１Ｂの外面形状に倣ってそれと面一となるように形成してあり、それによって収納部１Ｂの美観を損なわないように配慮してある。また、上記操作面１４ｂを収納部１Ｂの内方に向けて押圧する際に、収納部１Ｂの他方の側壁部１ｃを指の支持面として利用し、例えばその支持面に人差し指から小指を当接させた状態で、親指で操作面１４ｂを収納部１Ｂの内方に向けて、つまり収納ケースの上記他方の１ｃ側壁部に向けて押圧しながら、把持することができるように配慮してある。
このような配置にすれば、手で収納部１Ｂを握りながら操作レバー１４を操作することができるので、該収納部１Ｂを手で握った状態で被磁着面７から離隔させたり、或いは被磁着面７に沿って移動させることが容易となる。
【００１７】
上記各カム部材１５は、全体として概略Ｌ字型に形成してあり、その一端部にＵ字状係合部１５ｂを形成して、このＵ字状係合部１５ｂをピン１９を介して上記操作レバー１４に連動させている。また上記各カム部材１５の他端部には係合突起１５ｃを形成してあり、各係合突起１５ｃを収納部１Ｂに形成した段部１ｆに係合させている。
これにより、図４に示すように上記操作レバー１４を軸１３を中心として反時計方向に揺動させることにより、ピン１９及びＵ字状係合部１５ｂを介してカム部材１５を、上記係合突起１５ｃを中心として時計方向（図４の矢印方向）に揺動させることができるようになっている。そしてその揺動により、カム部材１５の接触面１５ａのＵ字状係合部１５ｂ側は、すなわち図４における左側部分は被磁着面７から離隔されるようになり、同時に永久磁石１１も被磁着面７から離隔されるので、その磁着力が低減されることになる。
このとき、カム部材１５のＵ字状係合部１５ｂに係合するピン１９を、操作レバー１４の回転中心となる軸１３に隣接させた位置に設けてあり、それによって梃子の原理による軽い力で操作レバー１４を操作しても容易にカム部材１５を揺動させることができるようにしてある。
【００１８】
次に、上記収納ケース１には、該収納ケース１を被磁着面７に磁着させる際に、収納ケース１を誤って落下させてしまうのを防止する落下防止手段を設けている。
図５に示すように、上記落下防止手段２５は、Ｌ字型の金属製のフック２６を備えており、このフック２６の先端部分２６ａを、例えば黒板とこの黒板を取り付けた壁面との間隙等の所要位置に挿入固定することができるようにしてある。
上記フック２６の末端部分２６ｂには、可撓性を有するワイヤー２７の一端部を連結してあり、このワイヤー２７の他端部は収納部１Ｂに形成したガイド穴２８と、これに連続するように形成した本体部１Ａのガイド穴２９（図２参照）とに亘って挿通させてある。
上記ワイヤー２７の他端部には球状の脱落防止部材３０を取付けてあり、この脱落防止部材７３は、本体部１Ａのガイド穴２９にこれから離脱することがないように係合するとともに、このガイド穴２９の長手方向に沿って移動可能となっている。
【００１９】
上記収納部１Ｂと本体部１Ａとの境界部分には、上記脱落防止部材３０が収納部１Ｂから脱落するのを防止する抜け止め具３１を取付けてある。
この抜け止め具３１は薄板によって概略Ｕ字状に形成してあり、その中央部の溝３１ａ内に上記ワイヤー２７を挿通させている。この溝３１ａはワイヤー２７は通過させるが上記脱落防止部材３０の通過は阻止するような幅を有しており、それによって上記フック２６を収納部１Ｂから引張り出した際に、脱落防止部材３０が収納部１Ｂから脱落することがないようにしている。
【００２０】
上記フック２６の末端部分２６ｂは、使用しないときには収納部１Ｂに形成したスリット３２（図３、図４参照）内に挿入できるようにしてあり、またフック２６の先端部分２６ａも上記スリット３２に連続させて収納部１Ｂに形成した溝３３内に挿入できるようにしてある。
上記フック２６をスリット３２及び溝３３内に挿入した状態では、摩擦力によってフック２６がそれらから脱落しないようにしてあり、この状態ではフック２６の先端部分２６ａの表面は、収納部１Ｂの外側の表面と面一となるようにしてある。
他方、フック２６を収納部１Ｂから引出すために、上記溝３３の長さを先端部分２６ａの長さよりも長くするとともに、その先端部分の深さを深くしてある。これにより指をフック２６の先端部分２６ａに引掛けて、該フック２６を溝３３から引出すことができるようにしてある。
【００２１】
以上の構成を有する収納ケース１を例えば黒板の被磁着面７に磁着させる際には、先ずフック２６を収納部１Ｂから引出し、その先端部分２６ａを黒板とこの黒板を取り付けた壁面との間隙に挿入する。
次に、収納ケース１の長手方向の向きを例えば鉛直方向に向けたら、収納ケース１の両端部に設けたカム部材１５の接触面１５ａを被磁着面７に密着させる。これにより、上記永久磁石１１の磁着力によって、カム部材１５を介して収納ケース１を被磁着面７に磁着させることができる。
【００２２】
この際、収納ケース１の向きが鉛直方向から傾いているような場合には、例えば下方側の収納部１Ｂを手で握りながら離脱手段１２の操作レバー１４を収納部１Ｂの内側に向けて押圧すれば、上述したようにカム部材１５の接触面１５ａの一側部分が被磁着面７から離隔されるようになるので、永久磁石１１の被磁着面７に対する磁着力が低減されるようになる。これにより収納ケース１の下方を被磁着面７に沿って左右に容易に移動させることができるようになる。
【００２３】
このとき、上方の永久磁石１１は相対的に大きな磁着力で収納ケース１の上方を被磁着面７に磁着させたままなので、収納ケース１の上方を中心として、収納ケース１の下方を被磁着面７に沿って左右に揺動させることができ、したがって収納ケース１の傾きを鉛直方向に容易に微調整することができる。
この後、下方の操作レバー１４の操作を解除して下方の永久磁石１１を元の被磁着面７に近接した位置に戻せば、収納ケース１は両方の永久磁石１１によって被磁着面７に強固に磁着されるようになる。
【００２４】
また万一、上記調整作業中に収納ケース１が落下したような場合には、フック２６の先端部分２６ａが黒板とこの黒板を取り付けた壁面との間隙に挿入されているので、収納ケース１の落下によりフック２６が収納ケース１から相対的に引出されることになる。
これによりワイヤー２７を介して脱落防止部材３０も収納ケース１から引出されるようになるが、この脱落防止部材３０は抜け止め具３１の溝３１ａを通過することができないので、そこで抜け出しが防止されて収納ケース１の落下が阻止されるようになる。
【００２５】
上述したようにして収納ケース１を被磁着面７に磁着させたら、取っ手５を引いて巻取りロール２に巻回されているシート体３をスプリング力に抗して収納ケース１から引出すとともに、該シート体３を被磁着面７に磁着させればよい。
そして補強バー４に埋設した図示しない永久磁石を被磁着面７に磁着させることにより、シート体３を確実に被磁着面７に磁着させることができる。
【００２６】
次に、上記シート体３を収納ケース１内に収納させる際には、先ず上記フック２６の先端部分２６ａを黒板と壁面との間隙から取り外し、該フック２６を上記スリット３２及び溝３３内に挿入することにより、フック２６を収納部１Ｂ内に収納する。
次に、上記補強バー４の永久磁石を被磁着面７から離隔させる。このときシート体３も磁着力を有しているので、上記補強バー４を上記被磁着面７から離隔させるだけではシート体３をスプリング力で収納ケース１内に収納させることができない。
そこで上記補強バー４を上記被磁着面７から大きく離隔させることにより、その補強バー４側から収納ケース１側にかけて順次シート体３を被磁着面７から離隔させ、最終的にシート体３の全体を被磁着面７から離隔させることにより、該シート体３を上記スプリング力で収納ケース１内に収納させることができる。
【００２７】
このようにしてシート体３を収納ケース１内に収納したら、上述したのと同様に例えば下方側の収納部１Ｂを手で握りながら操作レバー１４を操作することにより、下方の永久磁石１１の被磁着面７に対する磁着力を低減させることができる。
そして収納ケース１全体を被磁着面７から取り外す際には、上記収納ケース１の下方を被磁着面７から大きく離隔させれば、上方の永久磁石１１も梃子の原理に基づく軽い力で被磁着面７から離隔させることができるので、容易に収納ケース１を被磁着面７から取り外すことができる。
【００２８】
なお、上記実施例では、カム部材１５に永久磁石１１を取付、該カム部材１５を操作レバー１４を介して揺動させることにより永久磁石１１を直接被磁着面７から離隔させるようにしているが、これに限定されるものではない。例えば、永久磁石を収納ケースに固定して設けるとともに、上記カム部材を収納ケースに揺動可能に設け、このカム部材を指で直接揺動させて収納ケースを被磁着面から離隔させることにより、永久磁石を間接的に被磁着面から離隔させるようしてもよい。
また上記実施例では、シート体がマグネットを有しているが、これに限定されるものではない。特に上方に水平に収納ケースを磁着させ、下方にシート体を引出すような使用が前提となる場合には、マグネットを有しない通常のシート体を用いることができる。
【図面の簡単な説明】
【００２９】
【図１】本発明の実施例を示す正面図。
【図２】図１のＩＩ−ＩＩ線に沿う断面図。
【図３】図１のＩＩＩ−ＩＩＩ線に沿う断面図。
【図４】図３と異なる作動状態を示す拡大断面図。
【図５】落下防止手段２５を示す要部の斜視図。
【符号の説明】
【００３０】
１  収納ケース                        １ａ  出入用スリット
１ｃ  側壁部                          １ｅ  ガイド面
３  シート体                          ７  被磁着面
１１  永久磁石                        １２  離脱手段
１４  操作レバー                      １５  カム部材
２５  落下防止手段                    ２６  フック
２７  ワイヤー                        ２８、２９  ガイド穴
３０  脱落防止部材                    ３１  抜け止め具
【図１】
2006168916.tif 000003
【図２】
2006168916.tif 000004
【図３】
2006168916.tif 000005
【図４】
2006168916.tif 000006
【図５】
2006168916.tif 000007